(57)【要約】【課題】バーナの燃焼効率をより一層増加させ、かつ燃焼速度の異なる燃料を用いても共通化されたバーナで安定した拡散燃焼を確保させるバーナおよび反応器を提供する。【解決手段】本発明に係るバーナ２３は、バーナ本体に燃料を噴出させる燃料噴出口と、この燃料噴出口の内周側および外周側で空気を噴出させる空気噴出口とをそれぞれ備え、起動時および運転時に燃焼速度の異なる燃料を前記燃料噴出口から噴出させて拡散燃焼させ、バーナ本体を共用させて対応させる構成としたことを特徴とするバーナ。【選択図】  図２
2008020183.tif 000002
【特許請求の範囲】
【請求項１】
バーナ本体に燃料を噴出させる燃料噴出口と、この燃料噴出口の内周側および外周側で空気を噴出させる空気噴出口とをそれぞれ備え、起動時および運転時に燃焼速度の異なる燃料を前記燃料噴出口から噴出させて拡散燃焼させ、バーナ本体を共用させて対応させる構成としたことを特徴とするバーナ。
【請求項２】
前記燃料噴出口は周方向に沿って設けられた複数の噴出孔あるいは環状孔で形成され、前記燃料噴出口の内周側に設けられる空気噴出口は、中央に単一円孔状あるいは環状孔の第１空気噴射口とし、前記燃料噴射口の外周側の空気噴出口は、複数の噴出孔あるいは環状孔の第２空気噴出口とした請求項１記載のバーナ。
【請求項３】
中央の前記第１空気噴出口と、その外側の同心状位置で、バーナ軸方向に対し、斜めに形成された複数の燃料噴射口とを有する請求項２記載のバーナ。
【請求項４】
水素製造装置の燃焼部にバーナを設け、
このバーナに燃料を噴出させる燃料噴出口と、この燃料噴出口の内周側および外周側で空気を噴出させる空気噴出口とをそれぞれ備え、
起動運転時に、前記燃料噴出口から噴出させる燃料に予め空気を加えた予混合燃料を噴射させる一方、前記予混合燃料の内周側および外周側から空気を噴出させて拡散燃焼させ、
発電運転時には、前記燃料噴出口から水素リッチ燃料ガスを噴出させる一方、前記空気噴出口から空気をそれぞれ噴出させて拡散燃焼させ、共用させたバーナで起動運転用と発電運転用を兼ねるように設定したことを特徴とするバーナを備えた改質器。
【請求項５】
前記バーナは水素製造装置の容器の頭部に設けられ、上記バーナの燃料噴出口および空気噴出口を、前記容器の頭部内に改質触媒で覆われた燃焼室に臨ませ、前記燃料噴出口および空気噴出口からそれぞれ噴出させる燃料および空気を重力方向に向って噴出させる構成とした請求項４記載のバーナを備えた改質器。
【発明の詳細な説明】
【技術分野】
【０００１】
本発明は、バーナで拡散燃焼を行わせる際、空気と燃料との混合を促進させ、完全燃焼させるに好適なバーナおよびバーナを備えた改質器に関する。
【背景技術】
【０００２】
最近の燃料電池、例えば固体高分子形燃料電池は、形状をコンパクトにすることができ、電気出力が高出力密度であり、さらに燃料電池システムを簡素化させて運転を容易にしているので、家庭住宅用電源システムとして将来有望視されている。
【０００３】
また、この種のものは、家庭住宅用電源システムの利用のみならず、電力発生後に出る排熱を利用する空調システムやコージェネレーションへの適用も検討され、既に提案されている。
【０００４】
ところで、燃料電池には電解質の分類によって分けると多くの種類があるが、例えば固体高分子形燃料電池は、電気エネルギの発生とともに約１００℃以下の排熱を生じさせている。これは、電池効率が１００％にならない限り、つまり電池本体温度が周囲温度のままで発電運転が可能にならない限り、温度の高い電池温度から周囲温度への放熱分が熱として発生することを示している。
【０００５】
一方、燃料を水素に改質させるための燃料処理システムにおいても、通常、改質器等の改質反応の加熱に燃焼器を使うため、燃焼排ガスや燃料処理装置等から排熱が生じる。これらの排熱は、給湯やお風呂等の温水利用に適しており、熱回収が多ければ、電気と熱とを組み合わせて総合効率を８０％近くまで向上させることが可能である。
【０００６】
また、コージェネレーションシステムは、従来の系統電力利用に較べて、エネルギ効率が高く、省エネルギで地球環境に優しく、より経済的な運転を行うことが実現できるため、ユーザとしてはメリットが大きい。
【０００７】
上述の排熱を有効に活用する燃料電池システムでは、燃料が、例えばメタンを主体とした都市ガスや、例えばプロパンを主体としたＬＰＧの場合、これらの燃料を水素に改質させるための改質器が必要であり、改質器には改質触媒を活性化するために加熱する燃焼装置が必要となる。
【０００８】
その際、燃焼装置には、バーナが必要とされる。
【０００９】
従来のバーナ３６は、図８および図９に示すように、中央に、例えば円孔状の燃料噴出口３７を、その外側の同心状位置に、例えば環状口に形成した空気噴出口３８をそれぞれ備える、１個の燃料噴出口３７と、１個の空気噴出口３８とで拡散燃焼を行う、いわゆる単孔型式であった。
【００１０】
しかし、この単孔型式のものは、燃料Ｆの外側周囲のみに空気が流れるため、燃料Ｆと空気とを良好に混合させることが難しく、また、燃焼速度の違うメタンガス燃料やプロパンガス燃料と水素燃料とを同一バーナで完全燃焼させることが難しく、起動用バーナとメインバーナとに分ける必要があった。すなわち、都市ガス、あるいはＬＰＧ燃料を対象とした発電運転前の起動運転用バーナとメインバーナとを別々に設置し、発電運転に移行すると水素リッチガスを燃料として別のメインバーナで改質触媒２４を加熱させる必要があった。
【００１１】
また、従来のバーナには、発電運転前の起動用に使用する場合と、発電用に使用する場合との２種類に分けて使用する場合と、両方の機能を持った１種類のみで運転する場合とがある。
【００１２】
前者の運転の場合、２種類のバーナを切り換える理由は、その燃料の主体が起動時、都市ガスまたはプロパンであり、発電時、水素であり、燃焼速度が異なるため、１種類のバーナで安定した火炎を確保することが難しいことに基づく。
【００１３】
起動時と発電時とで切り換える２種類のバーナの場合、水素燃料を用いて発電運転するとき、構造が簡易な噴出口１個の、いわゆる単孔バーナを使用していた。また、最近では、例えば、特開平１０−１６２８５０号公報に見られるように、燃料の外側を空気で混合する拡散バーナが提案されている。
【特許文献１】特開平１０−１６２８５０号公報
【発明の開示】
【発明が解決しようとする課題】
【００１４】
従来から長く使用されている単孔型式のバーナや特開平１０−１６２８５０号公報に開示されている拡散バーナには、幾つかの問題が含まれており、その一つに燃焼効率が必ずしも高くない点にあった。
【００１５】
すなわち、発電用として用いるバーナは、水素を主体とした燃料に水蒸気が含まれているため、空気との混合が悪くなっている。このため、不完全燃焼によるＣＯや水素等の未燃ガス成分が多くなっている。
【００１６】
また、未燃ガス成分が多くなってくると、改質器内に組み込まれている燃焼装置の燃焼効率が悪くなり、しかも未燃ガス低減化のために排ガス浄化装置等を設けなければならず、運転コストの増加は無論、その運転操作やメンテナンスにも多くの労力を必要とする等、不具合、不都合があった。
【００１７】
本発明は、このような事情に基づいてなされたものであり、バーナの燃焼効率をより一層増加させ、かつ燃焼速度の異なる燃料を用いても共用のバーナで安定した拡散燃焼を確保することができるバーナおよびバーナを備えた改質器を提供することを目的とする。
【００１８】
また、本発明の他の目的は、発電前の起動用に使用する場合と、発電用に使用する場合のバーナを共通化させ、共通のバーナで起動運転や発電運転に対応させることができるバーナおよびバーナを備えた改質器を提供することができる。
【００１９】
さらに、本発明の別の目的は、水素を主体とした燃料に水蒸気が含まれていても燃料と空気とをより一層効果的に混合促進させて発電効率をより向上させるバーナおよびバーナを備えた改質器を提供することにある。
【課題を解決するための手段】
【００２０】
本発明に係るバーナは、上述した課題を解決するために、バーナ本体に燃料を噴出させる燃料噴出口と、この燃料噴出口の内周側および外周側で空気を噴出させる空気噴出口とをそれぞれ備え、起動時および運転時に燃焼速度の異なる燃料を前記燃料噴出口から噴出させて拡散燃焼させ、バーナ本体を共用させて対応させる構成としたものである。
【００２１】
また、本発明に係るバーナを備えた改質器は、上述した課題を解決するために、水素製造装置の燃焼部にバーナを設け、このバーナに燃料を噴出させる燃料噴出口と、この燃料噴出口の内周側および外周側で空気を噴出させる空気噴出口とをそれぞれ備え、起動運転時に、前記燃料噴出口から噴出させる燃料に予め空気を加えた予混合燃料を噴射させる一方、前記予混合燃料の内周側および外周側から空気を噴出させて拡散燃焼させ、発電運転時には、前記燃料噴出口から水素リッチ燃料ガスを噴出させる一方、前記空気噴出口から空気をそれぞれ噴出させて拡散燃焼させ、共用させたバーナで起動運転用と発電運転用を兼ねるように設定したものである。
【発明の効果】
【００２２】
本発明に係るバーナおよびバーナを備えた改質器は、発電前の起動用に使用する場合と発電用に使用する場合のバーナを共通化させ、共用させたバーナで起動運転と発電運転に対応させることができ、バーナの燃焼効率をより一層増加させ、かつ安定した拡散燃焼を確保することができる。
【発明を実施するための最良の形態】
【００２３】
以下、本発明に係るバーナおよびバーナを備えた改質器の実施形態を図面および図面に付した符号を引用して説明する。
【００２４】
図１は、本発明に係る改質器を備えた燃料電池システムを示す概略系統図である。
【００２５】
この燃料電池システム２１は、燃料電池本体２に、例示として固体高分子形燃料電池を適用した場合について説明する。
【００２６】
この燃料電池システム２１は、大別して燃料処理系（ＦＰＳ；Ｆｕｒｌ  Ｐｒｏｃｅｓｓｉｎｇ  Ｓｙｓｔｅｍ）１と電池本体（ＣＳＡ；Ｃｅｌｌ  Ｓｔａｃｋ  Ａｓｓｅｍｂｌｙ）２とを備えて構成されている。
【００２７】
燃料処理系１は、燃料Ｆの流れに沿って順に、燃料部３、脱硫器４、水素製造装置としての改質器６、ＣＯシフト反応器７、ＣＯ選択酸化器８等を備える。また、燃料処理系１は、改質器６に一体として組み込まれた燃焼部５ａおよび水蒸気発生部５ｂを有し、燃料電池システム２１は、さらに、水蒸気分離器９、改質用水タンク１０、改質用水ポンプ１１、排熱熱交換器１２、排熱供給水ポンプ１３等を備えている。
【００２８】
なお、燃料部３から脱硫器４に供給される燃料Ｆは、炭化水素系燃料、例えば都市ガス、プロパン、あるいはガス化した灯油等が適宜、選択して用いられる。
【００２９】
一方、電池本体２は、アノード１４、カソード１５、水冷却部１６、電池冷却水ポンプ１７等を備えている。
【００３０】
また、燃料処理系１および電池本体２に共通な構成部品には、空気ブロア１８、凝縮熱交換器１９等が設けられている。
【００３１】
このような構成を備える固体高分子形燃料電池の発電原理を簡単に説明する。
【００３２】
プロパンまたは都市ガス等の燃料Ｆのうち、例えばプロパンを選択する場合、プロパンから水素ガスへの改質は、燃料処理系１で行われる。
【００３３】
まず、プロパンを選択する燃料Ｆは、脱硫器４を通る際、容器内に収容されている、例えば活性炭やゼオライト吸着により硫黄分が取り除かれ、水蒸気分離器９から分離される水蒸気と合流して改質器６に供給される。
【００３４】
この水蒸気分離器９は、改質用水タンク１０から改質用水ポンプ１１および水供給系１１ａを介して供給される水を水蒸気発生部５ｂで加熱させ、水蒸気にして改質器６に供給し、ここで燃料Ｆに合流させるようになっている。なお、水蒸気分離器９は、水蒸気から分離するドレン水を水回収系１１ｂを介して改質用水タンク１０に回収させている。
【００３５】
一方、改質器６では、供給される燃料（プロパン）Ｆと水蒸気とで改質触媒（図２の符号２１参照）により水蒸気改質反応が行われ、水素ガスのほかにＣＯやＣＯ２等も生成される。その際、水蒸気改質は吸熱反応となる。このため、改質器６は、水蒸気発生部５ｂとともに熱源を確保する燃焼部５ａを１つの容器の内に組み込んでいる。
【００３６】
ところで、固体高分子形燃料電池は、アノード１４に供給される燃料ガスの改質ＣＯ濃度が高いと、電池本体２の一部を構成する電解質膜および触媒層等からなる膜電極接合体（ＭＥＡ；Ｍｅｍｂｒａｎｅ  Ｅｌｅｃｔｒｏｄｅ  Ａｓｓｅｍｂｌｙ、以下ＭＥＡと記す）（図示せず）が被毒し、活性力が低下し、電池性能を著しく低下させる等の悪影響が出る。このため、ＣＯは事前にＣＯ２に酸化させる必要がある。
【００３７】
燃料処理系１は、改質器６の下流側にＣＯシフト反応器７とＣＯ選択酸化器８を備えるとともに、ＣＯ選択酸化器８に空気ブロア１８からの空気を供給し、改質器６で生成される改質ガスのうち、ＣＯがＣＯシフト反応器７およびＣＯ選択酸化器８を流れる間に各触媒（図示せず）の触媒反応により酸化促進させるようにしている。
【００３８】
また、図示しないが、改質器６、ＣＯ選択酸化器８の触媒反応温度は、それぞれ異なり、改質器６の数百度からＣＯ選択酸化器８の百数十度と、改質ガスの上流と下流の温度差が大きいため、実際には下流側温度を下げるための水熱交換器が必要となり、例えば、ＣＯシフト反応器７とＣＯ選択酸化器８との間に水熱交換器を設ける構成にしてもよい。
【００３９】
また、例えば、燃料Ｆのプロパンを改質させる場合、ＣＯからＣＯ２への酸化反応を省略し、全体をスルーする水蒸気改質は、以下の（１）式による。  
［化１］
Ｃ３Ｈ８＋６Ｈ２Ｏ  →  ３ＣＯ２へ＋１０Ｈ２            ……（１）
【００４０】
また、ＣＯ選択酸化器８を通過する改質ガスは、主として水素、炭酸ガス、水蒸気等の成分からなる。これらのガスが電池本体２のアノード１４に供給されると、水素ガスは膜電極接合体ＭＥＡの触媒層（図示せず）を経てプロトンＨ＋が電解質膜（図示せず）を流れ、空気ブロア１８からカソード１５に流れる空気中の酸素および電子と結び付いて水を生成する。
【００４１】
したがって、アノード１４はマイナス（−）極、カソード１５はプラス（＋）極になり、電位を持って直流電力を発電する。この電位間に電気負荷を存在させると、電源としての機能を持たせることができる。
【００４２】
他方、発電に寄与しないまま残ったアノード１４の出口から出るガスは、未燃ガス系２０を介して燃焼部５ａおよび水蒸気発生部５ｂ等の加熱用燃料ガスとして使用される。
【００４３】
また、カソード１５の出口から出る水蒸気は、水蒸気発生部５ｂからの燃焼ガスと合流し、さらに凝縮熱交換器１９で水分を回収させた後、その水分を改質用水タンク１０に供給し、燃料電池システム２１での水自立を図っている。
【００４４】
電池本体２の膜電極接合体ＭＥＡにおける触媒での反応温度は、通常、百度以下が適当であるから、電池本体２の温度がそれ以下になるように、電池冷却水ポンプ１７で冷却水を循環させ、排熱熱交換器１２で放熱させ、電池本体２の入口側冷却水温度が一定になるように電気制御部（図示せず）で制御している。
【００４５】
また、電池本体２の水冷却部１６から排熱熱交換器１２に供給された高温水または高温の不凍液等の媒体は、ここで、加熱源として用いられ、排熱供給水ポンプ１３からの水と熱交換し、その水を加温させる。加温した水は、例えば温水器等に供給され、給湯やお風呂の温水として使われる。
【００４６】
なお、固体高分子形燃料電池システムの簡素化のために、排熱熱交換器１２を使わずに、排熱供給水ポンプ１３に代って、燃料処理系１の電池冷却水ポンプ１７から直接、温水器等に供給してもよい。
【００４７】
図２および図３は、改質器６に一体として組み込まれた燃焼部５ａと水蒸気発生部５ｂとを示す本発明に係る燃料電池システム２１の概念図である。
【００４８】
なお、図２は、燃料電池システム２１の一部分を示す改質器６の概略縦断面図であり、図３は、図２のＡ−Ａ矢視方向から切断したバーナ２３の切断断面図である。
【００４９】
図２に示す燃料電池システム２１は、水素製造装置（燃焼装置）を構成する改質器６のうち、燃焼部５ａと水蒸気発生部５ｂとを１つの容器２２に収容して一体構成させたものである。
【００５０】
燃焼部５ａは、容器２２の、例えば頭部側にバーナ２３を備えるとともに、容器２２内の壁面側に改質触媒２４で覆われた燃焼室２５を形成している。
【００５１】
また、燃料電池システム２１の燃焼装置は、燃料処理系１の水素製造装置６から生成された水素を主体とする燃料に空気を化学反応させて発電を行う電池本体２を備えたものである。前記水素製造装置６の燃焼部５ａに設けたバーナ２３は、燃料を噴出させる燃料噴出口３１と、この燃料噴出口３１の内径側（内周側）および外径側（外周側）のそれぞれに設けられ、空気を噴出させる空気噴出口３０，３２とを備えるとともに、燃料噴出口３１および空気噴出口３０，３２のそれぞれから噴出させる燃料および空気を重力方向に向って燃焼室２５を臨むように噴出させる構成にしたものである。
【００５２】
また、燃料電池システム２１の水素製造装置６に設けた燃焼部５ａは、発電前の起動運転から発電運転に移行する際、都市ガスおよびＬＰＧのうち、いずれか一方の燃料に予め空気を加えた予混合燃料から水素を主体とする燃料の燃焼ガス生成に自動的に切り換え得るバーナ２３を備えたものである。
【００５３】
また、この容器２２は、燃焼室２５の下流側に、例えばガラスウール等の断熱部材２６で区画する区画室２７を形成し、この区画室２７内に断熱部材２８で包囲し、伝熱管２９ａを群として配置する水蒸気発生部５ｂを備えている。
【００５４】
さらにまた、この容器２２は、その外側にジャケット型式にして伝熱管２９ｂを群として配置する水蒸気発生部５ｂを備えている。
【００５５】
一方、この容器２２の、例えば頭部側に設けたバーナ２３は、中央に、例えば円孔の第１空気噴出口３０と、その外側の同心状位置で、かつバーナ軸方向ＣＬに対し半径方向（横断方向）に向けて斜めの傾斜角αに形成させた、例えば円孔の複数の燃料噴出口３１と、さらに外側の同心状位置に、例えば環状孔に形成する第２空気噴出口３２とを備えている。この場合、第１空気噴出口３０と第２空気噴出口３２とは、開口面積が同一で、空気噴出流速も同一となるように設計されている。
【００５６】
このような構成を備えた燃料電池システムにおいて、次に、バーナ２３から燃焼室２５に噴出する燃料および空気に基づく燃焼ガス生成のメカニズムを説明する。
【００５７】
まず、燃料電池システム２１は、発電前の起動運転時、図１の脱硫器４の入口側に設けたプロセス燃料弁３３を「閉」にし、燃焼部５ａの入口側に設けた起動用燃料弁３４を「開」にし、空気ブロア１８の出口側に設けた起動用空気弁３５を「開」にし、燃料部３から起動用燃料弁３４を介して送給される燃料、例えばプロパンに空気ブロア１８からの空気を加えて予混合し、その予混合した燃料ガスを燃焼部５ａに供給するとともに、空気ブロア１８から燃焼用空気が燃焼部５ａに供給される。
【００５８】
燃焼部５ａに供給された予混合の燃料ガスおよび燃焼用空気のそれぞれは、図２および図３に示すように、バーナ２３の燃料噴出口３１、第１および第２空気噴出口３０，３２を介して燃焼室２５に噴出され、ここで着火装置（図示せず）により点火され、火炎が形成される。
【００５９】
この火炎は、燃焼室２５内で拡散燃焼し、改質触媒２４を効果的に加熱し、燃料を改質させるに必要な触媒温度まで上昇させ改質触媒２４を活性化状態にさせる。
【００６０】
さらに、区画室２７に回り込んだ燃焼ガスは、水蒸気発生部５ｂの伝熱管２９ａ，２９ａを加熱させ、管内の水を蒸発させ、蒸気にする。
【００６１】
燃焼室２５の入口２５ａで、図１で示した脱硫器４からの燃料Ｆと、水蒸気分離器９からの水蒸気との混合ガスが供給され、その混合ガスの温度が上昇し、やがて燃焼部５ａの容器２２内における改質触媒２４や燃焼室２５の出口２５ｂに接続するＣＯシフト反応器７、ＣＯ選択酸化器８、水蒸気分離器９等の各熱機器が改質ガスを燃料電池本体２のアノード１４に供給するに必要な温度になると、燃料電池システム２１は、起動用燃料弁３４が「開」のまま、プロセス燃料弁３３を「開」にし、燃料Ｆの改質を開始させる。そして、アノード１４に供給されるプロセスガスが水素リッチで、ＣＯ濃度が低くなると、発電運転が開始される。
【００６２】
発電運転時、未反応のまま残った燃料ガスは、オフガスとしてアノード１４の出口から未燃ガス系２０を介して改質器６の燃焼部５ａに戻される。燃焼部５ａに戻されたオフガス燃料と、燃料部３を介して起動用燃料弁３４からの原燃料とが合流して燃え、直ぐに燃焼部５ａの燃焼室２５の負荷を増加させ、温度が上昇すると、起動用燃料弁３４および起動用空気弁３５は閉じる。そして、燃焼部５ａの燃焼室２５は、未燃ガス系２０からのオフガス燃料のみで運転され、発電運転時に移行する。
【００６３】
発電運転時における燃焼部５ａの燃焼室２５には、バーナ２３の燃料噴出口３１から水蒸気、炭酸ガス、メタンガスを含んだ水素リッチガスが噴出され、それと同時に拡散燃焼に必要な燃焼用空気が第１空気噴出口３０および第２空気噴出口３２を介して噴出される。各噴出口３１，３０，３２で噴出した水素リッチガスと空気とは、混合して燃焼ガスを生成し、燃焼室２５の重力方向（下流側）に向って拡散燃焼する。
【００６４】
このように、燃料Ｆに空気を混合させ、燃焼室２５で拡散燃焼させるバーナ２３に、中央に、例えば円孔状の単一口で形成した第１空気噴出口３０、その外側の同心状位置に、例えば複数の円孔状に形成した燃料噴出口３１、さらにその外側の同心状位置に、例えば環状口に形成した第２空気噴出口３２を設けたバーナ２３である。
【００６５】
本実施形態に係るバーナ２３は、バーナ本体２３ａの中央に、例えば円孔状の単一口に形成した第１空気噴出口３０を、その外周側の同心状位置で、かつバーナ軸方向ＣＬに対し半径方向内方に向けて斜めの傾斜角αに形成させた、例えば複数の円孔状の燃料噴出口３１を、さらにその外周側の同心状位置にも、例えば環状孔に形成した第２空気噴出口３２をそれぞれ備え、燃料Ｆが中心部に集まるようにするとともに、燃料Ｆの周りを内側の空気と外側の空気が流れ、あたかも燃料が空気でサンドイッチ（サンドイッチ式バーナ）の状態にさせたので火炎の細分化が充分に奏される。これは、いわば小さい単孔を複数個配置したバーナと同一の効果を奏し、空気と燃料の混合が良好で、たとえ水蒸気を含んでいても燃焼反応が充分促進され、火炎の長さを短くすることができる。
【００６６】
実際、本実施形態に係るバーナ２３の火炎長さは、従来の単孔型式のバーナ３６の火炎長さに較べ半分以下になっていることが実験で確認された。
【００６７】
火炎の長さが、従来に較べて短いと、拡散燃焼の反応をより早く完結させることを示している。その上、短い火炎の分だけ火炎領域の平均燃焼温度は高くなり、燃焼室２５の改質触媒２４への熱の伝わりは損失が著しく小さく非常に効果的である。
【００６８】
また、本実施形態に係る燃焼部５ａは、燃焼室２５の壁面側に改質触媒２４を配置させるとともに、図１で示した脱硫器４からの燃料Ｆと水蒸気分離器９からの水蒸気とを混合させたプロセス燃料ガスを重力方向に向って流し、かつバーナ２３からの燃焼ガスとを対向流形式にして流すので、外部への放熱損失を少なくさせて改質触媒２４への熱の伝わりをより一層効果的に行うことができる。
【００６９】
また、本実施形態に係る燃焼部５ａは、中央に、例えば円孔状の第１空気噴出口３０と、その外側の同心状位置に、例えば円孔状の複数個の燃料噴出口３１と、さらに外側の同心状位置に、例えば複数個の円孔および環状孔のうち、いずれか一方に形成する第２空気噴出口３２とを有するバーナ２３を備え、都市ガスあるいはＬＰＧ等の燃料Ｆと水素リッチガスとの燃焼速度の大きく異なる場合であっても、充分に対処できるようにしているので、従来のように、燃料の種数によって起動運転用と発電運転用との複数本のバーナを用意することもなく燃焼室２５を簡素化させて空気と燃料とを良好に混合させることができ、拡散燃焼をより一層促進させて改質触媒２４をより早く活性化させることができる。
【００７０】
また、燃焼速度の異なる燃料を使用すると、発電運転前の起動運転時の拡散燃焼の際、火炎が伸び過ぎて燃焼が不安定になることがあるが、この場合、燃料噴出口３１から噴出する燃料に予め空気を加えた予混合にし、不足の空気分を第１空気噴出口３０および第２空気噴出口３２から噴出すれば安定した火炎を確保することができる。
【００７１】
なお、本実施形態に係る燃焼部５ａは、バーナ２３のバーナ本体２３ａに形成する燃料噴出口３１を第１空気噴出口３０の外側の同心状位置に６個設けているが、この例に限らず、例えば図６および図７に示すように、第１空気噴出口３０の外側の同心状位置に形成する燃料噴出口３１を環状孔にしてもよい。また、例えば、図８および図９に示すように、第１空気噴出口３０を環状孔にしてもよい。
【００７２】
本発明に係るバーナおよびバーナを備えた改質器は、燃焼部に設けたバーナに、燃料を噴出させる燃料噴出口と、この燃料噴出口の内径側および外径側のそれぞれに空気噴出口を形成し、燃焼速度の異なる燃料を使用しても共通のバーナで対処でき、発電運転前の起動運転時と発電運転時と区別なく拡散燃焼の安定した火炎を確保することができ、燃料と空気とのより一層の混合促進に基づき完全燃焼させて発電効率をより一層向上させることができる。
【図面の簡単な説明】
【００７３】
【図１】燃料電池システムの実施形態を示す概略系統図。
【図２】本発明の第１実施形態を示すもので、燃料電池システムの一部を示す改質器の概略縦断面図。
【図３】図２のＡ−Ａ矢視方向から切断したバーナの切断断面図。
【図４】燃料電池システムの改質器に備えられる燃焼装置に適用するバーナの第２実施形態を示す概略平面図。
【図５】図４のＣ−Ｃ矢視方向から切断したバーナの切断断面図。態を示す概略系統図。
【図６】燃料電池システムのうち、燃焼装置に適用するバーナの第３実施形態を示す概略平面図。
【図７】図６のＤ−Ｄ矢視方向から切断したバーナの切断断面図。
【図８】従来のバーナを示す概略平面図。
【図９】図８のＢ−Ｂ矢視方向から切断したバーナの切断断面図。態を示す概略系統図。
【符号の説明】
【００７４】
１  燃料処理系
２  電池本体
３  燃料部
４  脱硫器
５ａ  燃焼部
５ｂ  水蒸気発生部
６  改質器（燃焼装置）
７  ＣＯシフト反応器
８  ＣＯ選択酸化器
９  水蒸気分離器
１０  改質用水タンク
１１  改質用水ポンプ
１１ａ  水供給系
１１ｂ  水回収系
１２  排熱熱交換器
１３  排熱供給水ポンプ
１４  アノード
１５  カソード
１６  水冷却部
１７  電池冷却水ポンプ
１８  空気ブロア
１９  凝縮熱交換器
２０  未燃ガス系
２１  燃料電池システム
２２  容器
２３  バーナ
２３ａ  バーナ本体
２４  改質触媒
２５  燃焼室
２５ａ  入口
２５ｂ  出口
２６  断熱部材
２７  区画室
２８  断熱部材
２９ａ，２９ｂ  伝熱管
３０  第１空気噴出口
３１  燃料噴出口
３２  第２空気噴出口
３３  プロセス燃料弁
３４  起動用燃料弁
３５  起動用空気弁
３６  バーナ
３７  燃料噴出口
３８  空気噴出口
【図１】
2008020183.tif 000003
【図２】
2008020183.tif 000004
【図３】
2008020183.tif 000005
【図４】
2008020183.tif 000006
【図５】
2008020183.tif 000007
【図６】
2008020183.tif 000008
【図７】
2008020183.tif 000009
【図８】
2008020183.tif 000010
【図９】
2008020183.tif 000011